(57)【要約】【課題】天井のサイズが異なった場合でも１つの防護天井で対処することができるエレベータ昇降路の据付作業装置を得る。【解決手段】この発明に係るエレベータ昇降路の据付作業装置は、かご枠１と、このかご枠１の下部に設けられた作業者の足場となる床面２と、かご枠１の上部に設けられた作業者の足場となる天井３と、この天井３を囲って設けられた安全柵５と、この安全柵５の上端部に設けられ、折曲可能でかつ折曲方向に対して直角水平方向に伸縮可能な防護天井６とを備えている。【選択図】図１
2005138939.tif 000002
【特許請求の範囲】
【請求項１】
かご枠と、
このかご枠の下部に設けられた作業者の足場となる床面と、
前記かご枠の上部に設けられた作業者の足場となる天井と、
この天井を囲って設けられた安全柵と、
この安全柵の上端部に設けられ、折曲可能でかつ折曲方向に対して直角水平方向に伸縮可能な防護天井と
を備えたエレベータ昇降路の据付作業装置。
【請求項２】
前記防護天井は、第１の中心線上に沿って折曲される第１の防護天井部と、この第１の防護天井部に対して摺動可能で前記第１の中心線上とほぼ同一の延長線上の第２の中心線上に沿って折曲される第２の防護天井部とを備えている請求項１に記載されたエレベータ昇降路の据付作業装置。
【請求項３】
前記防護天井は、一端部が前記かご枠の上梁に接続された主索が貫通する切り欠き部を有するとともに第１の中心線上に沿って折曲される第１の防護天井部と、この第１の防護天井部の一方の側において摺動可能で前記第１の中心線上とほぼ同一の延長線上の第２の中心線上に沿って折曲される第２の防護天井部と、前記第１の防護天井部の他方の側において摺動可能で前記第１の中心線上とほぼ同一の延長線上の第３の中心線上に沿って折曲される第３の防護天井部とを備えている請求項１に記載されたエレベータ昇降路の据付作業装置。
【請求項４】
前記安全柵を構成する前記天井に対して垂直方向に延びた柱は、上下方向に伸縮可能である請求項１ないし請求項３の何れか１項に記載されたエレベータ昇降路の据付作業装置。
【発明の詳細な説明】
【技術分野】
【０００１】
この発明は、かご枠の上部に設置した天井を足場としてガイドレールの据付作業等を行うエレベータ昇降路の据付作業装置に関するものである。
【背景技術】
【０００２】
従来、エレベータのガイドレールや乗場出入口装置等の据付作業を行うのに、かご枠の下部に固定された床面、かご枠の上部に固定された天井を足場として利用したエレベータ昇降路の据付作業装置が知られている。
このものの場合、エレベータの巻上機により牽引され昇降路内を上下移動するかご枠に床面、天井が設けられており、作業者は、床面に乗って乗場出入口装置の据付作業を行い、また天井に乗ってガイドレールの据付作業を行っており、そのときに作業者の上に落下物が落ちるのを防止するために、天井の上側には防護天井が仮設されている。（例えば、特許文献１参照）。
【０００３】
【特許文献１】特開平１１−２５５４５３号公報（図１）
【発明の開示】
【発明が解決しようとする課題】
【０００４】
従来のエレベータ昇降路の据付作業装置では、天井のサイズに応じてそれぞれ個別の防護天井を製作しなければならず、それだけコストが嵩むという問題点があった。
【０００５】
この発明は、上記のような問題点を解決するためになされたもので、天井のサイズが異なっても１つの防護天井で対処することができるエレベータ昇降路の据付作業装置を提供することを目的とする。
【課題を解決するための手段】
【０００６】
この発明に係るエレベータ昇降路の据付作業装置では、かご枠と、このかご枠の下部に設けられた作業者の足場となる床面と、前記かご枠の上部に設けられた作業者の足場となる天井と、この天井を囲って設けられた安全柵と、この安全柵の上端部に設けられ、折曲可能でかつ折曲方向に対して直角水平方向に伸縮可能な防護天井とを備えている。
【発明の効果】
【０００７】
この発明に係るエレベータ昇降路の据付作業装置では、防護天井は、折曲可能でかつ折曲方向に対して直角水平方向に伸縮可能であるので、天井のサイズが異なった場合でも１つの防護天井で対処することができる。
【発明を実施するための最良の形態】
【０００８】
以下、この発明の各実施の形態について説明するが、同一または相当の部材、部位については同一符号を付して説明する。
実施の形態１．
図１はこの発明の実施の形態１のエレベータ昇降路の据付作業装置（以下据付作業装置と略称する）の概略全体斜視図である。
この据付作業装置は、かご枠１と、このかご枠１の下部に設けられたかご室床面２と、かご枠１の上部に設けられた天井３と、かご室床面２の周囲を囲った床面用安全柵４と、天井３の周囲を囲った天井用安全柵５と、この天井用安全柵５の上端部に折曲可能で、かつ折曲方向に対して直角水平方向に伸縮可能な防護天井６とを備えている。
かご枠１は、かご室床面２および天井３の各側縁部に接続された一対の柱１ａと、両端部が一対の柱１ａの上端部に接続された上梁１ｂとから構成されている。
防護天井６は、図２において矢印Ａの方向に互いに摺動可能な第１の防護天井部７および第２の防護天井部８と、第１の防護天井部７および第２の防護天井部８の上面を覆った金網９と、第１の防護天井部７および第２の防護天井部８の摺動を案内する第１のガイド１０、第２のガイド１１とを備えている。
【０００９】
第１の防護天井部７は、第１の中心線Ｂ上に沿って折曲可能であり、第２の防護天井部８は、第１の中心線Ｂ上とほぼ同一の延長線上である第２の中心線Ｃ上に沿って折曲可能である。
第１の防護天井部７は、図３および図５（ａ）に示すように、第１の中心線Ｂに沿って複数個のヒンジ１２により間隔をおいて接続された天井片７ａ、７ｂから構成されている。それぞれの天井片７ａ、７ｂのヒンジ１２の両反対側は、図４（ａ）に示すように、天井用安全柵５を構成する、天井３に対して垂直方向に延びた柱１３の上端部と取付金具１４を介してそれぞれ回動可能に接続されている。
第２の防護天井部８についても、第１の防護天井部７と同様に、その中心線に沿って図５（ｃ）に示すようにヒンジ１２により接続された天井片８ａ、８ｂから構成されている。また、それぞれの天井片８ａ、８ｂのヒンジ１２の両反対側は、図４（ｃ）に示すように、柱１３の上端部と取付金具１４を介してそれぞれ回動可能に接続されている。
なお、図４（ｂ）は、図３のイの箇所の紙面に対して垂直方向の奥側中間部の図、図５（ｂ）は、図３のロの箇所の紙面に対して垂直方向の奥側中間部の図である。
【００１０】
上記構成の据付作業装置では、主索がかごの下を通るエレベータや、油圧式のエレベータにおいて、作業者は、かご室床面２に乗って乗場出入口装置の据付作業を行い、またガイドレールの据付作業は天井３に乗って行っており、天井３上での作業者は防護天井６の下で作業を行っており、作業者の上に落下物が落ちるようなことはない。
【００１１】
上記構成の据付作業装置によれば、昇降路のサイズに応じてかご室床面２および天井３の面積が異なるが、その面積の変化に対しては、防護天井６が折曲可能で、かつ折曲方向に対して直角水平方向に伸縮可能になっているので、１つの防護天井６で対処することができる。
【００１２】
実施の形態２．
図６はこの発明の実施の形態２の据付作業装置の側面図である。
この実施の形態では、防護天井２０は、一端部がかご枠１の上梁１ｂに接続された主索２１が貫通する切欠部２２を有するとともに第１の中心線上に沿って折曲可能な第１の防護天井部２３と、この第１の防護天井部２３の一方の側に対して摺動可能で第１の中心線上とほぼ同一の延長線上の第２の中心線上に沿って折曲可能な第２の防護天井部２４と、第１の防護天井部２３の他方の側に対して摺動可能で第１の中心線上とほぼ同一の延長線上の第３の中心線上に沿って折曲可能な第３の防護天井部２５と、第１の防護天井部２３、第２の防護天井部２４および第３の防護天井部２５の各上面を覆った金網９と、第１の防護天井部２３に対して、第２の防護天井部２４および第３の防護天井部２５の摺動を案内する第１のガイド２６、第２のガイド２７とを備えている。
他の構成は、実施の形態１と同様である。
この据付作業装置によれば、かご枠１の上梁１ｂから主索２１が懸架されるエレベータにおいても、適用できる。
【００１３】
実施の形態３．
図７はこの発明の実施の形態３の据付作業装置の要部正面図である。
この実施の形態では、柱３０が上下方向に伸縮可能になっている。
即ち、図８に示すように、柱３０は、等分間隔で複数個形成された穴３０ａを有する外筒３１と、この外筒３１に対して摺動可能な内筒３２と、穴３０ａに挿入して内筒３２の下動を阻止して外筒３２に対する内筒３２の相対位置を定めるストッパ３３とを備えている。
他の構成は、実施の形態１と同様である。
この据付作業装置によれば、柱３０の長さ調整により、防護天井６の高さを容易に変えることができ、例えばかかご枠１が昇降路の最上部に達しているときには、防護天井６を低くして防護天井６が昇降路の上部と接触するのを防止することができる。
【図面の簡単な説明】
【００１４】
【図１】この発明の実施の形態１のエレベータ昇降路の据付作業装置の概略全体斜視図である。
【図２】図１のエレベータ昇降路の据付作業装置の部分側面図である。
【図３】図１のエレベータ昇降路の据付作業装置の部分正面図である。
【図４】（ａ）は図３のイの箇所の図、（ｂ）は図３のイの箇所の紙面に対して垂直方向の奥側の図、（ｃ）は図３のイの箇所の紙面に対して垂直方向の最奥側の図である。
【図５】（ａ）は図３のロの箇所の図、（ｂ）は図３のロの箇所の紙面に対して垂直方向の奥側の図、（ｃ）は図３のロの箇所の紙面に対して垂直方向の最奥側の図である。
【図６】この発明の実施の形態２のエレベータ昇降路の据付作業装置の部分側面図である。
【図７】この発明の実施の形態３のエレベータ昇降路の据付作業装置の部分正面図である。
【図８】図７の柱の要部斜視図である。
【符号の説明】
【００１５】
１  かご枠、１ａ  柱、１ｂ  上梁、２  床面、３  天井、５  天井用安全柵、６，２０  防護天井、７，２３  第１の防護天井部、８，２４  第２の防護天井部、２１  主索、２２  切欠部、２５  第３の防護天井部、３０  柱。
【図１】
2005138939.tif 000003
【図２】
2005138939.tif 000004
【図３】
2005138939.tif 000005
【図４】
2005138939.tif 000006
【図５】
2005138939.tif 000007
【図６】
2005138939.tif 000008
【図７】
2005138939.tif 000009
【図８】
2005138939.tif 000010